(57)【特許請求の範囲】
【請求項１】
ホーム加入者サーバー（ＨＳＳ）及び３ＧＰＰ  アクセス認証及び認可（ＡＡＡ）サーバーを含む発展型パケットシステム（ＥＰＳ）ネットワークにおいて障害のある加入者関連データを回復する方法であって、
前記３ＧＰＰ  ＡＡＡサーバーにおいて、
前記ＨＳＳに格納された障害のある加入者関連データを有する１以上の加入者を識別する情報要素である”ユーザーＩＤリスト”を含む、プッシュ・プロファイル・リクエスト（ＰＰＲ）コマンドでリセット指示を前記ＨＳＳから受信するステップと、
非３ＧＰＰネットワークからのアクセスとのやり取りにおいて、該アクセスが前記識別された１以上の加入者の一人に対応する場合に、情報要素であるサーバー割り当て種別が回復に設定される、サーバー割り当てリクエスト（ＳＡＲ）コマンドを送信することによって、前記識別された１以上の加入者の一人に対する前記障害のある加入者関連データを回復するように前記ＨＳＳへ指示するステップと
を含むことを特徴とする方法。
【請求項２】
前記リセット指示を受信すると、
回復ペンディングフラグで前記識別された１以上の加入者をマーキングするステップと、
情報要素である”結果”がマーキングする前記ステップの結果を含む、プッシュ・プロファイル・アンサー（ＰＰＡ）コマンドを送信することによって、前記マーキングの完了を前記ＨＳＳへ報告するステップと
をさらに含むことを特徴とする請求項１に記載の方法。
【請求項３】
情報要素である”ＩＭＳＩ”が回復されるべき加入者関連データの前記識別された１以上の加入者の一人を示し、情報要素である”登録結果”が回復結果を示す、サーバー割り当て応答（ＳＡＡ）コマンドの形式で前記ＨＳＳから返答を受信するステップと、
前記障害のある加入者関連データの回復が成功したことを示す前記ＨＳＳからの前記返答に応じて、加入者関連データの回復が成功した前記加入者に対する前記回復ペンディングフラグをクリアするステップをさらに含むことを特徴とする請求項２に記載の方法。
【請求項４】
前記情報要素である”ユーザーＩＤリスト”は、全ての加入者において前記障害のある加入者関連データが発生したことを示す予め定義された記号、又はＩＭＳＩが先頭番号で始まる前記加入者の組において前記障害のある加入者関連データが発生したことを示す該ＩＭＳＩの先頭番号を含むことを特徴とする請求項１に記載の方法。
【請求項５】
前記サーバー割り当て応答（ＳＡＲ）コマンドは、回復されるべき加入者関連データの前記識別された１以上の加入者の一人を示す情報要素である”ＩＭＳＩ”を含むことを特徴とする請求項１乃至４の何れか１項に記載の方法。
【請求項６】
発展型パケットシステム（ＥＰＳ）ネットワークのアクセス認証及び認可（ＡＡＡ）における装置であって、
ホーム加入者サーバー（ＨＳＳ）に格納された障害のある加入者関連データを有する１以上の加入者を識別する情報要素である”ユーザーＩＤリスト”を含む、プッシュ・プロファイル・リクエスト（ＰＰＲ）コマンドでリセット指示を前記ＨＳＳから受信する通信部と、
非３ＧＰＰネットワークからのアクセスとやり取りを行う対話部と、
前記アクセスが前記識別された１以上の加入者の一人に対応する場合に、情報要素であるサーバー割り当て種別が回復に設定される、サーバー割り当てリクエスト（ＳＡＲ）コマンドを送信することによって、前記識別された１以上の加入者の一人に対する前記障害のある加入者関連データを回復するように前記ＨＳＳへ指示する処理部と
を備えることを特徴とする装置。
【請求項７】
ホーム加入者サーバー（ＨＳＳ）及び３ＧＰＰ  アクセス認証及び認可（ＡＡＡ）サーバーを含む発展型パケットシステム（ＥＰＳ）ネットワークにおいて、前記ＨＳＳにおいて実行される、障害のある加入者関連データを回復する方法であって、
前記ＨＳＳに格納された前記障害のある加入者関連データを有する１以上の加入者を識別する情報要素である”ユーザーＩＤリスト”を含む、プッシュ・プロファイル・リクエスト（ＰＰＲ）コマンドでリセット指示を前記３ＧＰＰ  ＡＡＡサーバーへ送信するステップと、
情報要素であるサーバー割り当て種別が回復に設定される、サーバー割り当てリクエスト（ＳＡＲ）コマンドの形式で前記３ＧＰＰ  ＡＡＡサーバーから指示を受信すると、前記識別された１以上の加入者の一人における前記障害のある加入者関連データを回復するステップと
を備えることを特徴とする方法。
【請求項８】
情報要素である”ＩＭＳＩ”が回復されるべき加入者関連データの前記識別された１以上の加入者の一人を示し、情報要素である”登録結果”が回復結果を示す、サーバー割り当て応答（ＳＡＡ）コマンドを送信することによって、前記３ＧＰＰ  ＡＡＡサーバーへ回復の完了を報告するステップをさらに含むことを特徴とする請求項７に記載の方法。
【請求項９】
前記情報要素である”ユーザーＩＤリスト”は、全ての加入者において前記障害のある加入者関連データが発生したことを示す予め定義された記号、又はＩＭＳＩが先頭番号で始まる前記加入者の組において前記障害のある加入者関連データが発生したことを示す該ＩＭＳＩの先頭番号を含むことを特徴とする請求項７に記載の方法。
【請求項１０】
前記サーバー割り当て応答（ＳＡＲ）コマンドは、回復されるべき加入者関連データの前記識別された１以上の加入者の一人を示す情報要素である”ＩＭＳＩ”を含むことを特徴とする請求項７乃至９の何れか１項に記載の方法。
【請求項１１】
発展型パケットシステム（ＥＰＳ）ネットワークにおけるホーム加入者サーバー（ＨＳＳ）であって、
前記ＨＳＳに格納された障害のある加入者関連データを有する１以上の加入者を識別する情報要素である”ユーザーＩＤリスト”を含む、プッシュ・プロファイル・リクエスト（ＰＰＲ）コマンドでリセット指示を、３ＧＰＰ  アクセス認証及び認可（ＡＡＡ）サーバーへ送信し、前記３ＧＰＰ  ＡＡＡサーバーから、情報要素がサーバー割り当て種別が回復に設定される、サーバー割り当てリクエスト（ＳＡＲ）コマンドの形式で指示を受信する通信部と、
前記識別された１以上の加入者の一人に対して前記障害のある加入者関連データを回復する回復部と、
情報要素である”ＩＭＳＩ”が回復されるべき加入者関連データの前記識別された１以上の加入者の一人を示し、情報要素である”登録結果”が回復結果を示す、サーバー割り当て応答（ＳＡＡ）コマンドを送信することによって、前記３ＧＰＰ  ＡＡＡサーバーへ前記回復の完了を報告する報告部と
を備えることを特徴とするホーム加入者サーバー。
【請求項１２】
発展型パケットシステム（ＥＰＳ）ネットワークにおいて、３ＧＰＰ  アクセス認証及び認可（ＡＡＡ）サーバーとホーム加入者サーバー（ＨＳＳ）との間の障害回復の方法であって、
失敗後に回復する際に、前記ＨＳＳにおいて、該ＨＳＳの加入者をサービングする３ＧＰＰ  ＡＡＡサーバーへ、前記ＨＳＳに格納された障害のある加入者関連データを有する１以上の加入者を識別する情報要素である”ユーザーＩＤリスト”を含む、プッシュ・プロファイル・リクエスト（ＰＰＲ）コマンドでリセット指示を送信するステップと、
前記３ＧＰＰ  ＡＡＡサーバーにおいて、前記ＨＳＳの前記識別された１以上の加入者を回復ペンディングとしてマーキングする前記リセット指示を受信するステップと、
前記３ＧＰＰ  ＡＡＡサーバーが回復ペンディングとしてマーキングされた前記ＨＳＳの少なくとも一人の加入者と対話する際に、該３ＧＰＰ  ＡＡＡサーバーにおいて、回復を示すサーバー割り当て種別を含む、前記ＨＳＳへの少なくとも一人の加入者に対するサーバー割り当てリクエスト（ＳＡＲ）コマンドを送信するステップと、
回復を示す前記サーバー割り当て種別を含む前記ＳＡＲコマンドを受信すると、前記ＨＳＳにおいて、前記少なくとも一人の加入者に対する前記加入者データを回復するステップと、
前記ＨＳＳにおいて、情報要素である”ＩＭＳＩ”が回復されるべき加入者関連データの前記少なくとも一人の加入者を示し、情報要素である”登録結果”が前記少なくとも一人の加入者に対して回復結果を示すサーバー割り当て応答（ＳＡＡ）コマンドで、前記３ＧＰＰ  ＡＡＡサーバーへ応答メッセージを送信するステップと、
前記３ＧＰＰ  ＡＡＡサーバーにおいて、前記少なくとも一人の加入者に対する回復ペンディングの前記マーキングをリセットするステップと
を含むことを特徴とする方法。
【請求項１３】
回復ペンディングとして前記ＨＳＳの全員の加入者をマーキングすると、情報要素である”結果”がマーキングする前記ステップの結果を含む、プッシュ・プロファイル応答（ＰＰＡ）コマンドを、前記３ＧＰＰ  ＡＡＡサーバーから前記ＨＳＳへ送信することによって前記回復ペンディングを確認するステップをさらに含むことを特徴とする請求項１２に記載の方法。
【請求項１４】
各３ＧＰＰ  ＡＡＡサーバーへ送信される前記リセット指示は、前記３ＧＰＰ  ＡＡＡサーバーによって管理される加入者を識別するユーザー識別子の組を含むことを特徴とする請求項１２または１３に記載の方法。
【請求項１５】
発展型パケットシステム（ＥＰＳ）ネットワークの加入者に対する加入者データを保持するホーム加入者サーバ（ＨＳＳ）であって、
前記ＨＳＳの加入者をサービングする３ＧＰＰ  アクセス認証及び認可（ＡＡＡ）サーバーへ、前記ＨＳＳに格納された障害のある加入者関連データを有する１以上の加入者を識別する情報要素である”ユーザーＩＤリスト”を含む、プッシュ・プロファイル・リクエスト（ＰＰＲ）コマンドでリセット指示を送信し、前記３ＧＰＰ  ＡＡＡサーバーから、回復を示すサーバー割り当て種別を含む、少なくとも一人の加入者に対するサーバー割り当てリクエスト（ＳＡＲ）コマンドを受信する通信部と、
前記少なくとも一人の加入者に対する前記障害のある加入者関連データを回復する回復部と、
情報要素である”ＩＭＳＩ”が前記少なくとも一人の加入者を示し、情報要素である”登録結果”が前記少なくとも一人の加入者に対する回復結果を示すサーバー割り当て応答（ＳＡＡ）コマンドで、前記３ＧＰＰ  ＡＡＡサーバーへ応答メッセージを送信する報告部と
を備えることを特徴とするホーム加入者サーバー。
【請求項１６】
発展型パケットシステム（ＥＰＳ）ネットワークにおいて、アクセス認証及び認可（ＡＡＡ）における装置であって、
ホーム加入者サーバー（ＨＳＳ）から、前記ＨＳＳに格納された障害のある加入者関連データを有する１以上の加入者を識別する情報要素である”ユーザーＩＤリスト”を含む、プッシュ・プロファイル・リクエスト（ＰＰＲ）コマンドでリセット指示を受信し、回復ペンディングとして前記ＨＳＳの前記１以上の加入者をマーキングする通信部と、
回復ペンディングとしてマーキングされた前記ＨＳＳの少なくとも一人の加入者とやり取りする対話部と、
回復を示すサーバー割り当て種別を含む、少なくとも一人の加入者に対するサーバー割り当てリクエスト（ＳＡＲ）コマンドを前記ＨＳＳへ送信する処理部と
を備え、
前記通信部は、情報要素である”ＩＭＳＩ”が前記少なくとも一人の加入者を示し、情報要素である”登録結果”が前記少なくとも一人の加入者に対する回復結果を示すサーバー割り当て応答（ＳＡＡ）コマンドで、応答メッセージを前記ＨＳＳから受信し、前記少なくとも一人の加入者に対する回復ペンディングの前記マーキングをリセットするように構成されることを特徴とする装置。
【発明の詳細な説明】
【技術分野】
【０００１】
本発明は、一般的には、発展型ネットワークコア（ＥＮＣ）への非３ＧＰＰアクセスに関連する。より詳細には、本発明は、非３ＧＰＰアクセス・シナリオにおいてホーム加入者サーバー（ＨＳＳ）に格納された障害のある加入者関連データを回復するための方法である。本発明はまた、同様の目的を達成する装置に関連する。
【背景技術】
【０００２】
現在、ＨＳＳは、サブスクリプション、認証、及び移動性管理のメカニズムを提供する、３ＧＰＰ発展型パケットシステム（ＥＰＳ）仕様書に従って、ＬＴＥ（Ｅ−ＵＴＲＡＮ）アクセス及び非３ＧＰＰアクセスの両方をサポートする。
【０００３】
３ＧＰＰ  ＴＳ  ２３．４９３チャプター１２の”ＨＳＳ及びＡＡＡサーバー間のインタラクション”に従って、３ＧＰＰ  ＡＡＡは、ＨＳＳ方向へのＳＷｘインタフェースを介して非３ＧＰＰアクセスネットワーク（例えば、ＣＤＭＡ２０００）からＥＰＣネットワークへ接続するＵＥを認証し、認可する非３ＧＰＰアクセス・シナリオにおいて使用されうる。これに関して、３ＧＰＰ  ＴＳ  ２９．２７３チャプター８”ＳＷｘ解説”にインタフェースＳＷｘが説明されている。
【０００４】
図１は、非３ＧＰＰアクセスに対するＥＰＳ内での非ローミング・アーキテクチャを示す。他方、ＵＥ１５０ａ、信頼非３ＧＰＰ  ＩＰアクセス１５０ｂ、及び非信頼非３ＧＰＰ  ＩＰアクセス１５０ｃからのアクセスなどの、非３ＧＰＰネットワークからのそれらのアクセスは、複数のインタフェース、例えば、Ｓ６ｂ、ＳＷｍ、ＳＷａ及びＳＴａを経由して３ＧＰＰ  ＡＡＡサーバー１２０へ経路付けられる。
【０００５】
従来、ＳＷｘインタフェースを通じて、３ＧＰＰ  ＡＡＡは、ＨＳＳにおいて格納されるセキュリティ情報及び認証情報を取り出す。ＨＳＳは、非３ＧＰＰアクセスネットワークにおいて現在ユーザーをサービングしているＡＡＡ識別子のトラックを保持する。ＳＷｘは、３ＧＰＰ及び非３ＧＰＰアクセス間のハンドオーバ（ＨＯ）を容易にする情報を識別するＰＤＮ−ＧＷとＨＳＳを更新するために使用される。
【０００６】
ＨＳＳが障害の後にリスタート又はデータリロードを行う場合、当該ＨＳＳは、多数のユーザーに対する３ＧＰＰ  ＡＡＡ登録情報、又は、３ＧＰＰ及び非３ＧＰＰアクセスにおけるユーザーセッションに対する移動アンカーとして使用される任意のＰＤＮ−ＧＷ識別子などの動的データを失うかもしれない。
【０００７】
この状況において、ＨＳＳは、加入者及び当該加入者をサービングする３ＧＰＰ  ＡＡＡサーバーを識別する有効な情報を有しておらず、これは厳しい結果を引き起こし得る。第１の厳しい結果は、３ＧＰＰ  ＡＡＡサーバーに格納されるユーザーコンテキスト又は管理上の理由に起因するＤｅ−Ｒｅｇｉｓｔｅｒ（登録抹消）ユーザーをＨＳＳが更新できないことである。第２の厳しい結果は、加入者プロファイルの回復、ＰＤＮ  ＧＷ識別子の更新、及び３ＧＰＰ  ＡＡＡサーバーから初期化される登録抹消の少なくとも１つの、そのようなＨＳＳによる排除であり、特に、そのようなＨＳＳにおいて格納される情報がないか使用できない情報が格納されるだけである。第３の厳しい結果は、上記情報群が格納されなければＵＥ認証が許容されうるということであり、一方で、ユーザーを既にサービングしている他の３ＧＰＰ  ＡＡＡサーバーが存在するかもしれないということである。さらに、第４の厳しい結果は、同一のユーザーをサービングする複数の３ＧＰＰ  ＡＡＡサーバーが存在しうる可能性があり、これはさらに悪い状況を引き起こす可能性がある。
【０００８】
しかし、非３ＧＰＰアクセス・シナリオにおいて、ＨＳＳに障害が発生した場合に３ＧＰＰ  ＡＡＡサーバーとＨＳＳとの間の障害回復手続はなく、これは、ＵＥアタッチ、デタッチ又はハンドオーバー中の３ＧＰＰ  ＡＡＡに対する問題の原因となる。
【発明の概要】
【０００９】
上記を鑑みて、本発明の目的の一つは、非３ＧＰＰアクセス・シナリオに好適に実装されるＨＳＳ障害回復における解決を提供することにある。
【００１０】
本発明の一形態によれば、前記３ＧＰＰ  ＡＡＡサーバーにおいて、
前記ＨＳＳに格納された前記障害のある加入者関連データを有する１以上の加入者を識別する指標を前記ＨＳＳから受信するステップと、
非３ＧＰＰネットワークからのアクセスとのやり取りに関し、該アクセスが前記識別された加入者の一人に対応する場合に、一人又は全員の前記識別された加入者に対する前記障害のある加入者関連データを回復するように前記ＨＳＳへ指示するステップと
を含むことを特徴とする方法である。
【００１１】
本発明の好適な実施形態において、前記指標を受信すると、
回復ペンディングフラグで前記識別された加入者をマーキングするステップと、
前記マーキングの完了を前記ＨＳＳへ報告するステップと
をさらに含んでもよい。
【００１２】
本発明の好適な実施形態において、前記指標は、情報要素である”ＩＭＳＩ又はユーザーＩＤリスト”が前記ＨＳＳに格納された前記障害のある加入者関連データを有する前記１以上の加入者を示す、プッシュ・プロファイル・リクエスト（ＰＰＲ）コマンドの形式で表されてもよい。とりわけ当該実施形態において、前記情報要素である”ＩＭＳＩ又はユーザーＩＤリスト”は、前記加入者の全員において前記障害のある加入者関連データが発生したことを示す予め定義された記号と、ＩＭＳＩが所定の先頭番号で始まる前記加入者の組において前記障害のある加入者関連データが発生したことを示す該ＩＭＳＩの所定の先頭番号とを含んでもよい。
【００１３】
本発明の好適な実施形態において、報告する前記ステップは、情報要素である”結果”がマーキングする前記ステップの結果を含む、プッシュ・プロファイル・アンサー（ＰＰＡ）コマンドを送信することによって実行されてもよい。
【００１４】
本発明の好適な実施形態において、指示する前記ステップは、情報要素である”ＩＭＳＩ”が回復されるべき加入者関連データの前記１以上の加入者を示し、情報要素である”サーバ割り当て種別”が”登録”に設定される、サーバー割り当て応答（ＳＡＲ）コマンドを送信することによって実行されてもよい。
【００１５】
本発明の好適な実施形態において、前記ＨＳＳからの返答は、情報要素である”ＩＭＳＩ”が回復されるべき加入者関連データの前記１以上の加入者を示し、情報要素である”登録結果”が登録結果を含む、サーバー割り当て応答（ＳＡＡ）コマンドの形式で表されでもよい。
【００１６】
簡略化のため、ＳＡＲコマンド、ＳＡＡコマンド、又はその両方は好適にはただ一人の加入者として参照してもよく、つまり、ＳＡＲコマンド、ＳＡＡコマンド又はその両方は好適には回復によって影響を受ける一人の加入者のＩＭＳＩを含むだけであってもよい。そうは言うものの、本明細書では、ＳＡＲコマンド、ＳＡＡコマンド、又はその両方において一人の加入者より多い識別子の組み合わせを排除することはない。一方で、ＰＰＲ／ＰＰＡコマンドの組は、複数の加入者、つまり、３ＧＰＰ  ＡＡＡサーバーによって管理されるべく想定される回復ＨＳＳの加入者を参照することができる。
【００１７】
本発明の他の形態によれば、発展型パケットシステム（ＥＰＳ）ネットワークのアクセス認証及び認可（ＡＡＡ）における装置であって、
ＨＳＳに格納された障害のある加入者関連データを有する１以上の加入者を識別する指標をＨＳＳから受信する通信部と、
非３ＧＰＰネットワークからのアクセスとやり取りを行う対話部と、
前記アクセスが前記識別された加入者の一人に対応する場合に、前記識別された加入者の一人又は全員の前記識別された加入者に対する前記障害のある加入者関連データをを回復するように指示する処理部と
を備えることを特徴とする装置である。
【００１８】
本発明の他の形態によれば、ホーム加入者サーバー（ＨＳＳ）及び３ＧＰＰ  ＡＡＡサーバーを含む発展型パケットシステム（ＥＰＳ）ネットワークにおいて障害のある加入者関連データを回復する方法であって、
前記ＨＳＳで格納された前記障害のある加入者関連データを有する１以上の加入者を識別する指標を前記３ＧＰＰ  ＡＡＡサーバーへ送信するステップと、
前記３ＧＰＰ  ＡＡＡサーバーから指示を受信すると、１以上の識別された加入者における前記障害のある加入者関連データを回復するステップと
を備えることを特徴とする方法である。
【００１９】
本発明の好適な実施形態において、非３ＧＰＰネットワークからのアクセスとやり取りを行うために、前記アクセスが前記識別された加入者の一人に対応する場合に、３ＧＰＰ  ＡＡＡサーバーは前記指示を生成してもよい。
【００２０】
本発明の好適な実施形態において、前記３ＧＰＰ  ＡＡＡサーバーへ回復の完了を報告するステップをさらに含んでもよい。
【００２１】
本発明の好適な実施形態において、前記指標は、情報要素である”ＩＭＳＩ又はユーザーＩＤリスト”が前記ＨＳＳに格納された前記障害のある加入者関連データを有する前記１以上の加入者を示す、プッシュ・プロファイル・リクエスト（ＰＰＲ）コマンドの形式で表されてもよい。より好ましくは、前記情報要素である”ＩＭＳＩ又はユーザーＩＤリスト”は、前記加入者の全員において前記障害のある加入者関連データが発生したことを示す予め定義された記号と、ＩＭＳＩが所定の先頭番号で始まる前記加入者の組において前記障害のある加入者関連データが発生したことを示す該ＩＭＳＩの所定の先頭番号とを含んでもよい。
【００２２】
本発明の好適な実施形態において、前記指示は、情報要素である”ＩＭＳＩ”が回復されるべき加入者関連データの前記１以上の加入者を示し、情報要素である”サーバ割り当て種別”が”登録”に設定される、サーバー割り当て応答（ＳＡＲ）コマンドの形式で表されてもよい。
【００２３】
本発明の好適な実施形態において、報告する前記ステップは、情報要素である”ＩＭＳＩ”が回復されるべき加入者関連データの前記１以上の加入者を示し、情報要素である”登録結果”が登録結果を含む、サーバー割り当て応答（ＳＡＡ）コマンドを送信することによって実行されてもよい。
【００２４】
本発明の他の形態によれば、
本発明の好適な実施形態において、発展型パケットシステム（ＥＰＳ）ネットワークにおけるホーム加入者サーバー（ＨＳＳ）であって、
前記ＨＳＳに格納された障害のある加入者関連データを有する１以上の加入者を識別する指標を、３ＧＰＰ  ＡＡＡサーバーへ送信し、前記３ＧＰＰ  ＡＡＡサーバーから回復指示を受信する通信部と、
前記指示を受信すると、前記識別される加入者の一人又は全員に対して前記障害のある加入者関連データを回復する回復部と、
前記指標及び回復結果を生成する報告部と
を備えることを特徴とするホーム加入者サーバーである。
【００２５】
本発明の他の形態によれば、発展型パケットシステム（ＥＰＳ）ネットワークにおいて、３ＧＰＰ  ＡＡＡサーバーとホーム加入者サーバー（ＨＳＳ）との間の障害回復の方法であって、
失敗後に回復すると、前記ＨＳＳにおいて、該ＨＳＳの加入者をサービングする３ＧＰＰ  ＡＡＡサーバーへ、プッシュ・プロファイル・リクエスト（ＰＰＲ）コマンドでリセット指示を送信するステップと、
前記３ＧＰＰ  ＡＡＡサーバーにおいて、前記ＨＳＳの全ての加入者を回復ペンディングとしてマーキングする前記リセット指示を受信するステップと、
前記３ＧＰＰ  ＡＡＡサーバーが回復ペンディングとしてマーキングされた前記ＨＳＳの少なくとも一人の加入者と対話する際に、該３ＧＰＰ  ＡＡＡサーバーにおいて、前記ＨＳＳへの少なくとも一人の加入者に対するサーバー割り当てリクエスト（ＳＡＲ）コマンドで、３ＧＰＰ  ＡＡＡ登録情報及び回復を示すサーバー割り当て種別を含む登録メッセージを送信するステップと、
回復を示す前記サーバー割り当て種別を含む前記ＳＡＲコマンドと前記登録メッセージを受信すると、前記ＨＳＳにおいて、前記少なくとも一人の加入者に対する前記登録メッセージで受信される前記加入者データ及び３ＧＰＰ  ＡＡＡ登録情報を回復するステップと、
前記ＨＳＳにおいて、前記少なくとも一人の加入者に対して回復結果を示すサーバー割り当て応答（ＳＡＡ）コマンドで、前記３ＧＰＰ  ＡＡＡサーバへ応答メッセージを送信するステップと、
前記３ＧＰＰ  ＡＡＡサーバーにおいて、前記少なくとも一人の加入者に対する回復ペンディングの前記マーキングをリセットするステップと
を含むことを特徴とする方法である。
【００２６】
本発明の好適な実施形態において、回復ペンディングとして前記ＨＳＳの全員の加入者をマーキングすると、情報要素である”結果”がマーキングする前記ステップの結果を含む、プッシュ・プロファイル応答（ＰＰＡ）コマンドを、前記３ＧＰＰ  ＡＡＡサーバーから前記ＨＳＳへ送信することによって前記回復ペンディングを確認するステップをさらに含んでもよい。
【００２７】
本発明の好適な実施形態において、前記３ＧＰＰ  ＡＡＡ登録情報が、前記少なくとも一人の加入者に対する前回登録された３ＧＰＰ  ＡＡＡサーバーとは異なる３ＧＰＰ  ＡＡＡサーバーを示す場合に、前記前回登録された３ＧＰＰ  ＡＡＡサーバーへ少なくとも一人の加入者に対する登録抹消メッセージを前記ＨＳＳから送信するステップをさらに含んでもよい。
【００２８】
本発明の好適な実施形態において、パケット・データ・ネットワーク・ゲートウェイ（ＰＤＮ  ＧＷ）識別子が前記登録メッセージにおいて受信されると、
前記ＨＳＳにおいて、前記受信したＰＤＮ  ＧＷ識別子を格納するステップと、前記ＰＤＮ  ＧＷ識別子が前回格納したＰＤＮ  ＧＷ識別子とは異なる場合に、前記受信したＰＤＮ  ＧＷ識別子の移動性管理エンティティ（ＭＭＥ）を通知するステップとをさらに含んでもよい。
【００２９】
本発明の実施形態に従って、各３ＧＰＰ  ＡＡＡサーバーから送信される前記リセット指示は、前記３ＧＰＰ  ＡＡＡサーバーによって管理される加入者を識別するユーザー識別子の組を含んでもよい。他の実施形態において、前記リセット指示は、回復ペンディングとしてリセット指示を送信した前記ＨＳＳに属する全ての加入者をマーキングする３ＧＰＰ  ＡＡＡサーバーに対する加入者を識別することなく送信されてもよい。
【００３０】
本発明の他の形態によれば、発展型パケットシステム（ＥＰＳ）ネットワークの加入者に対する加入者データを保持するホーム加入者サーバ（ＨＳＳ）であって、
前記ＨＳＳの加入者をサービングする３ＧＰＰ  ＡＡＡサーバーへ、プッシュ・プロファイル・リクエスト（ＰＰＲ）コマンドでリセット指示を送信し、前記３ＧＰＰ  ＡＡＡサーバーから少なくとも一人の加入者に対するサーバー割り当てリクエスト（ＳＡＲ）コマンドで、加入者データ、３ＧＰＰ  ＡＡＡ登録情報及び回復を示すサーバー割り当て種別を含む登録メッセージを受信する通信部と、
前記加入者データと、前記少なくとも一人の加入者に対する前記登録メッセージにおいて受信される３ＧＰＰ  ＡＡＡ登録情報とを回復する回復部と、
少なくとも一人の加入者に対する回復結果を示すサーバー割り当て応答（ＳＡＡ）コマンドで、前記３ＧＰＰ  ＡＡＡへ応答メッセージを送信する報告部と
を備えることを特徴とするホーム加入者サーバーである。
【００３１】
本発明の他の形態によれば、発展型パケットシステム（ＥＰＳ）ネットワークにおいて、アクセス認証及び認可（ＡＡＡ）における装置であって、
ホーム加入者サーバー（ＨＳＳ）からプッシュ・プロファイル・リクエスト（ＰＰＲ）コマンドを受信し、回復ペンディングとして前記ＨＳＳの全ての加入者をマーキングする通信部と、
回復ペンディングとしてマーキングされた前記ＨＳＳの少なくとも一人の加入者とやり取りする対話部と、
少なくとも一人の加入者に対するサーバー割り当てリクエスト（ＳＡＲ）コマンドで、加入者データ、３ＧＰＰ  ＡＡＡ登録情報、及び回復を示すサーバー割り当て種別を含む登録メッセージを前記ＨＳＳへ送信する処理部と
を備え、
前記通信部は、前記少なくとも一人の加入者に対する回復結果を示すサーバー割り当て応答（ＳＡＡ）コマンドで、応答メッセージを前記ＨＳＳから受信し、前記少なくとも一人の加入者に対する回復ペンディングの前記マーキングをリセットするように構成されることを特徴とする装置である。
【００３２】
本発明によれば、ＨＳＳは前回失われた動的データを回復し、次のの非３ＧＰＰ  ＩＰアクセス／ＵＥ開始アタッチ、デタッチ、追加ＰＤＮをブロックするリスクを低減することができ、非３ＧＰＰアクセス・シナリオにおいて障害回復手続が現在の３ＧＰＰフレーム内で実装され、したがって、容易に適用することができる。
【図面の簡単な説明】
【００３３】
本発明の上記目的及び他の目的、特徴、並びに利益について、添付の図面に示すように、以下でより詳細な好適な実施形態で説明する。
【図１】非３ＧＰＰアクセスにおけるＥＰＳ内の非ローミング・アーキテクチャを示す。
【図２】本発明の一実施形態に係る３ＧＰＰ  ＡＡＡサーバーで実行される障害回復における方法ステップを示すフローチャートである。
【図３】本発明の一実施形態に係るＨＳＳで実行される障害回復における方法ステップを示すフローチャートである。
【図４】本発明の一実施形態に係るＨＳＳ障害回復手続におけるシーケンス図である。
【図５】本発明の一実施形態に係る発展型パケットシステム（ＥＰＳ）においてアクセス認証及び認可（ＡＡＡ）における装置の一実施形態を示すブロック図である。
【図６】本発明に従って発展型パケットシステム（ＥＰＳ）においてＨＳＳの一実施形態を示すブロック図である。
【発明を実施するための形態】
【００３４】
本発明は種々の変更及び代替の構成をカバーする一方で、本発明の複数の実施形態について、図面を参照して、ここで詳細に説明する。しかし、以下の特定の説明及び図面が本発明を開示される特定の形式に限定することは意図していないことが理解されるべきである。一方で、請求する本発明の範囲は、添付の特許請求の範囲において表現された本発明の範囲内での変更及び代替の構成の全てを含むことを意図している。
【００３５】
本明細書で特に定義していない限り、ここで使用される全ての技術及び科学上の用語は本発明が属する分野における通常の知識を有する者によって一般的に理解される意味を有する。
【００３６】
一実施例として、図１に示すように、以下の実施形態が上記アーキテクチャの内容で説明される。しかしながら、当業者は、本発明が任意の他のアーキテクチャに適用されうることが理解されるであろう。
【００３７】
本発明の一実施形態によれば、３ＧＰＰ  ＡＡＡ及びＨＳＳの間の障害回復手続がＨＳＳ障害が発生した場合に提供され、ＨＳＳが３ＧＰＰ  ＡＡＡを検出し、ＵＥ登録が失われた場合に、３ＧＰＰ  ＡＡＡは、”回復ペンディングフラグ”として、影響を受ける加入者レコードの全てを記録し、従って、次の加入者制御信号において、３ＧＰＰ  ＡＡＡは、ＨＳＳへの回復手続、例えば、ＨＳＳにおける登録データを回復する登録手続のトリガとなることができる。
【００３８】
図２に関して、ステップＳ２１０において、図１に示す３ＧＰＰ  ＡＡＡサーバー１２０は、ＳＷｘインタフェースを介してＨＳＳ１１０からの指標（インジケータ）を受信する。当該指標は、回復されるべき障害のある加入者関連データを有する１以上の加入者を定義している。より好ましくは、当該指標は、３ＧＰＰ  ＴＳ  ２９．２７３に特定されるＳＷｘコマンドであるプッシュ・プロファイル・リクエスト（ＰＰＲ）の形式で表される。ＨＳＳ障害の報告に適合するために、いくつかの修正がＰＰＲコマンドへ行われる。修正されたＰＰＲコマンドの一例を表１にテーブルを示す。一実施例として、当該テーブルは、上記報告に関連のある情報要素のみを示す。
【００３９】
【表１】
0005851034.tif 000002
【００４０】
表１に示すように、通常ケースにおいて、当該情報要素”ＩＭＳＩ又はユーザーＩＤリスト”は３ＧＰＰ  ＴＳ２３．００３に従ってフォーマットされ、ＨＳＳにおける障害のある加入者関連データを報告することを意図するのであれば、全ての加入者に対して障害のある加入者関連データが発生することを示す記号”＊”と、障害のある加入者関連データが所定の先頭番号で始まるＩＭＳＩの加入者の組において発生することを示すＩＭＳＩの先頭番号とを含むであろう。情報要素”ユーザープロファイル”に関して、障害のある加入者関連データを報告するものの、当該ＡＶＰの内容は空であってもよい。当該情報要素”サポート機能”は、起点ホストによってサポートされる機能リストを含む。本発明に適合するために、報告機能はＳＷｘに対する機能リストに含まれる。
【００４１】
その後、ステップＳ２２０において、３ＧＰＰ  ＡＡＡサーバー１２０は、例えば”登録ペンディングフラグ”と識別される加入者に対応する全ての記録（レコード）をマーキングすることによって、登録ペンディング状況におけるものとして、ＰＰＲコマンドにおいて識別される加入者をマークする。なお、受信したＰＰＲコマンドがＨＳＳで障害データが発生していることを示すことを意図していない場合、例えば、ＰＰＲコマンドが３ＧＰＰ  ＴＳ２３．００３［１４］、節２．２に従ってフォーマットされている場合には、３ＧＰＰ  ＡＡＡサーバー１２０は、通常モードでコマンドを処理するであろう。
【００４２】
ステップＳ２３０において、３ＧＰＰ  ＡＡＡサーバー１２０は、ＳＷｘインタフェースを介してＨＳＳ１１０へマーキングの完了を報告する。より好ましくは、当該報告は、３ＧＰＰ  ＴＳ２９．２７３で規定されているＳＷｘコマンド・プッシュ・プロファイル・アンサー（ＰＰＡ）をＨＳＳへ送信することによって実行される。また、本発明に適合するために、いくつかの修正がＰＰＡコマンドへ行われる。修正されたＰＰＡコマンドの一例を表２に記載する。一実施例として、当該テーブルは情報要素が報告に関連することを示すのみである。
【００４３】
【表２】
0005851034.tif 000003
【００４４】
表２に示すように、情報要素”結果”は、マーキング動作の結果を含む。Ｒｅｓｕｌｔ−Ｃｏｄｅ ＡＶＰは、Ｄｉａｍｅｔｅｒベースプロトコルで定義されるように、成功／エラーを示すために使用される。Ｅｘｐｅｒｉｍｅｎｔａｌ−Ｒｅｓｕｌｔ ＡＶＰは、ＳＷｘエラーに対して使用される。これは、Ｖｅｎｄｏｒ−Ｉｄ ＡＶＰの３ＧＰＰベンダーＩＤと、Ｅｘｐｅｒｉｍｅｎｔａｌ−Ｒｅｓｕｌｔ ＡＶＰのエラーコードとを含むグループ化されたＡＶＰである。情報要素”サポート機能”は、起点ホストによってサポートされる複数の機能のリストを含む。本発明に適法するために、報告機能は、ＳＷｘにおける機能リストに含まれる。
【００４５】
次に、ステップＳ２４０において、非３ＧＰＰネットワークからのアクセスによるインタラクションが発生している間、３ＧＰＰ  ＡＡＡサーバー１２０は、当該アクセスが識別される加入者の一人に対応するか否かを判定し、対応するのであればステップＳ２５０へ処理を進め、３ＧＰＰ  ＡＡＡサーバー１２０は、識別される加入者の一人又は全員に対して障害のある加入者関連データを回復する回復手続を開始する。
【００４６】
より好ましくは、回復手続はコマンドの組、即ち、３ＧＰＰ  ＴＳ２９．２７３で規定されるＳＷｘ参照ポイントのｄｉａｍｅｔｅｒアプリケーションで定義されるＳｅｒｖｅｒ−Ａｓｓｉｇｎｍｅｎｔ−Ｒｅｑｕｅｓｔ／Ａｎｓｗｅｒ （ＳＡＲ／ＳＡＡ）へマッピングされる。特に、３ＧＰＰ  ＡＡＡサーバー１２０は、ＨＳＳ１１０へＳＡＲコマンドの形式で登録メッセージを送信することによって回復手続を開始する。応答として、ＨＳＳ１１０は、受信した登録メッセージの加入者関連データ及び３ＧＰＰ登録情報に基づき障害のある加入者関連データにおける回復動作を実行し、コマンドＳＡＡを３ＧＰＰ  ＡＡＡサーバー１２０に戻す。本発明に適合するために、いくつかの修正がそれらのコマンドになされる。修正されたＳＡＲコマンド及びＳＡＡコマンドの一例をそれぞれ表３、表４に示す。一実施例として、それらのテーブルはそれぞれ関連のある情報要素を示すのみである。
【００４７】
【表３】
0005851034.tif 000004
【００４８】
【表４】
0005851034.tif 000005
【００４９】
表３に示すように、登録手続に関し、 サーバー割り当て応答（ＳＡＲ）コマンドの情報要素”サーバー割り当て種別”が、全ての又はいくつかの加入者関連データが回復されるべきことをＨＳＳ１１０へ知らせるために、”登録（Ｒｅｓｔｏｒａｔｉｏｎ）”として設定され、情報要素”ＩＭＳＩ”は加入者関連データが回復されるべき加入者を示す。
【００５０】
表４において、サーバー割り当て応答（ＳＡＡ）コマンドの情報要素”登録結果（Ｒｅｇｉｓｔｒａｔｉｏｎ  Ｒｅｓｕｌｔ）”は回復結果を含む、情報要素”ＩＭＳＩ”は回復結果が関係する加入者を示す。
【００５１】
ステップＳ２６０において、３ＧＰＰ  ＡＡＡサーバー１２０は、回復の成功を報告するＳＡＡコマンドがＨＳＳ１１０から受信されたかどうかを判定する。受信していれば、処理をステップＳ２７０へ進める。
【００５２】
ステップＳ２７０において、ＨＳＳ１１０からＳＡＡコマンドを受信すると、３ＧＰＰ  ＡＡＡサーバー１２０は、回復した加入者関連データに対応するレコード（記録）に対する”回復ペンディングフラグ”をクリアする。
【００５３】
図３は、本発明の一実施形態に係るＨＳＳで実行される障害回復における方法ステップを示すフローチャートである。
【００５４】
図３に関し、ステップＳ３１０において、図１に示すように、ＨＳＳ１１０は、ＳＷｘインタフェースを介して３ＧＰＰ  ＡＡＡサーバー１２０へ指標を送信する。上述したように、当該指標は、回復されるべき障害加入者関連データを有する１つ以上の加入者を識別するために使用され、より好ましくは、表１に示されるようにＳＷｘコマンドＰＰＲの形式で表される。
【００５５】
その後、ステップＳ３２０において、ＨＳＳ１１０は、回復指示が３ＧＰＰ  ＡＡＡサーバー１２０から受信されたかどうかを編テイする。受信されれば、ステップＳ３３０へ処理を進める。
【００５６】
ステップＳ３３０において、ＨＳＳ１１０は、３ＧＰＰ  ＡＡＡサーバー１２０からの障害のある加入者関連データを回復するための指示に応じて回復動作を実行する。より好ましくは、当該指示は、表３に示すようにＳＡＲコマンドの形式で登録メッセージとして表され、ＨＳＳ１１０は受信登録メッセージの加入者関連データ及び３ＧＰＰ登録情報んび基づき、障害のある加入者関連データを回復する。
【００５７】
次に、ステップＳ３４０において、障害のある加入者関連データにおける回復動作を実行すると、ＨＳＳ１１０は、表４に示すように、回復結果及び回復結果に関連する加入者を示す、コマンドＳＡＲを戻す。
【００５８】
図４は、本発明の一実施形態に係るＨＳＳ障害回復手続におけるメッセージフローを示す。
【００５９】
図４に関し、ステップＳ４１０において、ＨＳＳ１１０は、３ＧＰＰ  ＡＡＡ登録などのユーザーにおける動的データを判定、例えば予測できない再開に起因して失われているかどうかを判定する。
【００６０】
その後、ステップＳ４２０において、ＨＳＳ１１０は、影響のあるユーザー識別子の組を選択的に含みうる、影響のある３ＧＰＰ  ＡＡＡサーバー、例えば３ＧＰＰ  ＡＡＡサーバー１２０へのリセット指示又は指標を送信する。より好ましくは、当該指標は、表１に示すように、ＰＰＲコマンドの形式で表される。
【００６１】
ステップＳ４３０において、リセット指示を受信すると、３ＧＰＰ  ＡＡＡサーバー１２０は、”登録ペンディングフラグ”と全ての影響のあるユーザーをマークし、その後、表２に示すようにＰＰＡコマンドを戻すことによって、ＨＳＳ１１０へリセット応答を返却する。
【００６２】
ステップＳ４４０において、３ＧＰＰ  ＡＡＡサーバー及び非３ＧＰＰ  ＩＰアクセスとの間のＴＡ／ＳＷａ／ＳＷｍ／Ｓ６ｂインタラクションがある。なお、このインタラクションは、ＡＡＡ（例えば、再認証手続）によるネットワークがトリガとなりうる。
【００６３】
ステップＳ４５０において、３ＧＰＰ  ＡＡＡサーバー１２０は、非３ＧＰＰアクセスに対応するユーザーが”回復ペンディングフラグ”にマークされるかどうかを判定する。
【００６４】
次に、ステップＳ４６０において、３ＧＰＰ  ＡＡＡサーバー１２０は、”ＲＥＳＴＯＲＡＴＩＯＮ”として設定される”Ｓｅｒｖｅｒ−Ａｓｓｉｇｎｍｅｎｔ−Ｔｙｐｅ”と登録メッセージを介して回復メッセージを介した回復手続を開始する。
【００６５】
ステップＳ４７０において、ＨＳＳ１１０は、障害のある加入者関連データを回復する。古いＡＡＡサーバーが登録されていた場合には、ＨＳＳ１１０は、古いＡＡＡサーバーへ登録抹消手続きを開始するであろう。ＰＤＮ  ＧＷ識別子が受信されると、ＨＳＳ１１０は、新たな受信情報を格納し、新たなＰＤＮ  ＧＷ  ＩＤ情報が含まれるのみであれば、ＭＭＥを通知するであろう。
【００６６】
ステップＳ４８０において、回復後、ＨＳＳ１１０は、３ＧＰＰ  ＡＡＡサーバーへＳＡＡコマンドを戻すであろう。これは、所定のユーザーに対する回復手続が完了したことを示し、その後３ＧＰＰ  ＡＡＡサーバーが当該ユーザーに対する”回復ペンディングフラグ”をクリアする。
【００６７】
図５は、本発明に係る発展型パケットシステム（ＥＰＳ）ネットワークにおけるアクセス認証及び認可（ＡＡＡ）における装置の一実施形態を示すブロック図である。
【００６８】
図５に関し、装置５００は、通信部５１０、対話部５２０、及び処理部５３０を備える。通信部５１０は、ＨＳＳ、ＰＤＮゲートウェイ、ｅＰＤＧ、信頼のある非３ＧＰＰ  ＩＰアクセスポイント、及び信頼のない非３ＧＰＰ  ＩＰアクセスポイントなどの、ＨＰＬＭＮ又は非３ＧＰＰネットワーク内のネットワークエンティティと通信を行うように構成される。例えば、通信部５１０は、ＰＰＲコマンド又はＳＡＡコマンドをＨＳＳから受信する。通信部５１０はまた、非３ＧＰＰ  ＩＰネットワークからのアクセスとのやり取りを行う。さらに、通信部５１０は、ＨＳＳへ、ＳＡＲコマンド又はＰＰＡコマンドを送信することができる。対話部５２０は、非３ＧＰＰネットワークからのアクセスとのやり取りを行うように構成される。処理部５３０は、当該アクセスが識別される加入者の一人に対応するかどうかを判定し、そうであれば、識別される加入者の一人又は全員に対する障害のある加入者関連データを回復するようにＨＳＳへ指示するＳＡＲコマンドを生成する。処理部５３０はまた、以下の動作、回復ペンディングフラグでＰＰＲコマンドの識別される加入者をマークするステップと、マーキングの完了を報告するＰＰＡコマンドを生成するステップと、ＨＳＳからのＳＡＡコマンドに応じて回復ペンディングフラグをクリアするステップとを実行するように構成される。
【００６９】
図６は、本発明に係る発展型パケットシステム（ＥＰＳ）におけるＨＳＳの一実施形態を示すブロック図である。
【００７０】
図６に関し、ＨＳＳ６００は、通信部６１０、回復部６２０、及び報告部６３０を備える。通信部６１０は、３ＧＰＰ  ＡＡＡサーバーなどのネットワークエンティティと通信を行うように構成される。例えば、通信部６１０は、３ＧＰＰ  ＡＡＡサーバーからＰＰＡコマンド又はＳＡＲコマンドを受信する。さらに、通信部６１０は、３ＧＰＰ  ＡＡＡサーバーへＰＰＲコマンド又はＳＡＡコマンドを送信することができる。回復部６２０は、３ＧＰＰ  ＡＡＡサーバーからのＳＡＲコマンドの受信に応じて、一人の又は全ての識別される加入者に対する障害のある加入者関連データを回復するように構成される。報告部６３０は、ＰＰＲコマンド及びＳＡＡコマンドを生成するように構成される。
【００７１】
上記実施形態は本発明を制限する代わりに本発明を例示しており、適切な実施形態が添付の特許請求の範囲から離れることなく当業者によって設計されうることに注意されるべきである。”含む”、”含んでいる”、”備える”、”備えている”などの用語は、明細書及び特許請求の範囲に記載されていない要素やステップを除外するわけではない。また、本明細書、添付の特許請求の範囲で使用される単数を示す”ａ”、”ａｎ”及び”ｔｈｅ”は、明示的に示していない限り複数も含む。本発明は、いくつかの異なる要素を含むハードウェアや、適切にプログラムされたコンピュータによって達成されうる。請求項ごとに記載されたいくつかの手段においては、それらの手段のいくつかの手段が同じハードウェアアイテムにおいて具体的に具現化されうる。第１、第２、第３などの用語の使用は、任意の順番を示しているわけではなく、名称として単に説明しているだけである。
【図１】
0005851034.tif 000006
【図２】
0005851034.tif 000007
【図３】
0005851034.tif 000008
【図４】
0005851034.tif 000009
【図５】
0005851034.tif 000010
【図６】
0005851034.tif 000011